(57)【要約】      （修正有）【課題】キャップシールやフルシュリンクに代わり、作業性が良く、低コストで且つ環境対応にも優れた位置決めできる仕切り体を提供する。【解決手段】前記仕切り体の天面部１４には、側面部１６よりも折り曲げ方向の逆方向に突出する側方緩衝片２０が少なくとも１つ形成され、前記側面部には、前記山折りすることで天面部よりも上方に突出する上方緩衝片２２が少なくとも１つ形成されており、個装カートンにキャップ付き容器を収容した状態で、前記山折りした仕切り体を個装カートンに前記容器のキャップ周辺に装填した場合に、仕切り体の天面部がキャップの天面を覆いかつその側方緩衝片の端部が個装カートンの側壁部内面に対向し、それと共に、側面部がキャップの側面を覆いかつ側面部の上方緩衝片が、個装カートンの天面壁部の内面に対向するように形成された仕切り体。【選択図】図２
2016108002.tif 000002
【特許請求の範囲】
【請求項１】
複数の側壁部で取り囲んだ空間が天面壁部で封緘される個装カートンにおいて、前記空間内にキャップ付き容器を収容した場合に、当該容器のキャップ周辺を周囲から支持するため個装カートン内に挿入する仕切り体であって、
個装カートンに装填したときに、キャップの側面を覆う側面部と、当該側面部に折り曲げ線を介して連続形成されて、前記キャップの天面を覆う少なくとも１枚の天面部とを有し、
前記仕切り体の天面部には、当該天面部を側面部に対して折り曲げ線から山折りすることで側面部よりも折り曲げ方向の逆方向に突出する側方緩衝片が少なくとも１つ形成され、
前記側面部には、前記山折りすることで天面部よりも上方に突出する上方緩衝片が少なくとも１つ形成されており、
個装カートンにキャップ付き容器を収容した状態で、前記山折りした仕切り体を個装カートンに前記容器のキャップ周辺に装填した場合に、仕切り体の天面部がキャップの天面を覆いかつその側方緩衝片の端部が個装カートンの側壁部内面に対向し、それと共に、側面部がキャップの側面を覆いかつ上方緩衝片が、個装カートンの天面壁部の内面に対向するように形成されたことを特徴とする仕切り体。
【請求項２】
側面部は、長さ方向に連続したものであって、その幅方向の一側から複数の天面部が折り曲げ線を介して延出されたものであり、
天面部の側方緩衝片は側面部を切り欠いて形成されると共に、折り曲げ線が側面部の側端よりも内側に形成されており、
仕切り体について、側面部と天面部を折り曲げ線から山折りして各々直交する二つの方向に形成し、かつ、側面部の長さ方向先端を後端に繋げて側面部を環状に形成し、
前記仕切り体を個装カートンに収容する際に、前記キャップ周囲を環状に形成された側面部によって取り囲むようにし、天面部の側方緩衝片が側壁部の内面に接し、前記側面部の上方緩衝片が天面壁部内面に接するようにしたものであることを特徴とする請求項１に記載の仕切り体。
【請求項３】
複数の側面部が天面部の周囲から折り曲げ線を介して延出したものであって、
天面部の側方緩衝片は側面部を切り欠いて形成され、側面部の上方緩衝片は天面部を切り欠いて形成されると共に、
仕切り体について、側面部と天面部は折り曲げ線から山折りして各々直交する二つの方向に形成し、
前記仕切り体を個装カートン内に収容する際に、キャップ周囲を複数の側面部によって取り囲むようにし、天面部の側方緩衝片が個装カートンの対面する内壁に対向し、前記側面部の上方緩衝片が天面壁部内面に対向するように形成されたものであることを特徴とする請求項１に記載の仕切り体。
【発明の詳細な説明】
【技術分野】
【０００１】
本発明は、キャップ付き容器を収容する個装カートンに装着して容器のガタ付きを押さえる仕切り体に関する。
【背景技術】
【０００２】
化粧品のようにキャップ付き容器を個装カートンに収納した包装形態の場合、輸送中や荷扱いの際に予期しない落下による衝撃や輸送方向によって、キャップがボトルから外れてしまうトラブルが生じることがあった。
【０００３】
特に、キャップ外径が容器外径よりも小さく、かつ容器台座径よりも大きい場合には、容器は個装カートンによって概ね固定されるものの、横倒しで輸送されるとキャップが衝撃を受け易くなり、容器から外れ易くなるためである。
【０００４】
例えば図６（ａ）に示すように、上記のようなキャップ付き容器１０を個装カートンａに収容する場合を説明する。この場合、図６（ｂ）に示すように、キャップ１０ａの外径ｄ２が容器１０の外径ｄ１よりも小さく、かつ容器１０の台座１０ｂの外径ｄ３よりも大きいものである。
【０００５】
したがって、前記容器１０は、横倒し搬送などで容器１０が個装カートンａ内で振動してガタ付くと、個装カートンａ内壁面に対してキャップ１０ａと容器外径ｄ１よりも引っ込んだ台座１０ｂ周辺の空間によりキャップ１０ａ上部が衝撃を受け易くなり、場合によっては、そのような衝撃により図６（ｃ）に示すように、キャップ１０ａが容器１０の本体から外れた状態になってしまう。
【０００６】
従来、上記のようなキャップ外れのトラブルを改善するために、別にキャップシールによってキャップと容器とを固定して外れにくくしたり、フルシュリンクしたりすることで外れを防止している。しかしながら、これらのキャップシールやフルシュリンクの処置は、作業性が悪く加工費の上昇を招いてしまうものである。
【０００７】
また、箱内に物品を収容する際に緩衝材として特許文献１や特許文献２が開示されている。
【０００８】
特許文献１には、電化製品等の商品を箱詰めする際に、板状の部材からなる一対の天パッド、底パッドを使用して、各パッドをコの字状に折り曲げて相互に対向させ、かつ、各パッドを上下から対向させて商品を包囲するように井桁状に組み合わせた梱包用緩衝材が開示されている。この梱包用緩衝材においては、各パッドをコの字状に折り曲げた時に折り曲げ部の各位置から外方向に突出する緩衝用突片を外装箱内面壁面に当接させてガタ付きが生じないようにしている。
【０００９】
しかしながら、特許文献１の梱包用緩衝材では、天パッドと底パッドを組み合わせたものであって、パッドをコの字形状に折り曲げていることから、複数部品で曲げ成形が多く、しかも上下方向のガタ付きは防止できない問題点がある。
【００１０】
また、特許文献２には、外装箱内に入れる内容物の破損を防止する緩衝材であって、４つの側板と接合板とからなり側板の一端部と接合部とを重ねあわせて接合した四角筒状の胴部とからなり、側板の各々に張出板を延設した包装用緩衝材が開示されている。この包装用緩衝材では、外装箱内に瓶等の内容物を、その瓶の側面が緩衝材の内面に接するように装填したあと、該緩衝材から延設した張出板を、外装箱内面にその張出板の突端が略接するように設けて内容物がガタ付かないよう緩衝している。
【００１１】
しかしながら、特許文献２の包装用緩衝材では、四角形の筒状体に形成されたものであるため、上下方向のガタ付きを防止できないものである。
【先行技術文献】
【特許文献】
【００１２】
【特許文献１】実開平６−６７３７４号公報
【特許文献２】特開２００４−１０６８９７号公報
【発明の概要】
【発明が解決しようとする課題】
【００１３】
前記したように、特許文献１、２の緩衝材はいずれも側方などの一方向に張出板を突出させていて、別方向である上下方向の緩衝をするためにはその方向向きの緩衝材を別途作成する必要が有り、作業性が低下し、コストが上昇する問題点がある。
【００１４】
本発明は、斯かる実情に鑑み、キャップシールやフルシュリンクに代わり、左右方向及び上下方向を同時に位置決め可能であるので作業性が良く、低コストで且つ環境対応にも優れた仕切り体を提供するものである。
【課題を解決するための手段】
【００１５】
本発明は、複数の側壁部で取り囲んだ空間が天面壁部で封緘される個装カートンにおいて、前記空間内にキャップ付き容器を収容した場合に、当該容器のキャップ周辺を周囲から支持するため個装カートン内に挿入する仕切り体であって、
個装カートンに装填したときに、キャップの側面を覆う側面部と、当該側面部に折り曲げ線を介して連続形成されて、前記キャップの天面を覆う少なくとも１枚の天面部とを有し、
前記仕切り体の天面部には、当該天面部を側面部に対して折り曲げ線から山折りすることで側面部よりも折り曲げ方向の逆方向に突出する側方緩衝片が少なくとも１つ形成され、
前記側面部には、前記山折りすることで天面部よりも上方に突出する上方緩衝片が少なくとも１つ形成されており、
個装カートンにキャップ付き容器を収容した状態で、前記山折りした仕切り体を個装カートンに前記容器のキャップ周辺に装填した場合に、仕切り体の天面部がキャップの天面を覆いかつその側方緩衝片の端部が個装カートンの側壁部内面に対向し、それと共に、側面部がキャップの側面を覆いかつ上方緩衝片が、個装カートンの天面壁部の内面に対向するように形成されたことを特徴とする仕切り体である。
【００１６】
なお、個装カートンは、複数の側壁部には４つの側壁部を設けた断面矩形（正方形、長方形、菱形等）をはじめとする様々な個装カートンを使用できる。
【００１７】
本発明において、側面部は、その幅方向の一側から複数の天面部が折り曲げ線を介して延出されると共に、長さ方向に連続したものであって、
天面部の側方緩衝片は側面部を切り欠いて形成されると共に、折り曲げ線が側面部の側端よりも内側に形成されており、
仕切り体について、側面部と天面部を折り曲げ線から山折りして各々直交する二つの方向に形成し、かつ、側面部の長さ方向先端を後端に繋げて側面部を環状に形成し、
前記仕切り体を個装カートンに収容する際に、前記キャップ周囲を環状の側面部によって取り囲むようにし、天面部の側方緩衝片が側壁部の内面に接し、前記側面部の上方緩衝片が天面壁部内面に接するようにしたものであることが好適である。
【００１８】
また、本発明において、複数の側面部が天面部の周囲から折り曲げ線を介して延出したものであって、
天面部の側方緩衝片は側面部を切り欠いて形成され、側面部の上方緩衝片は天面部を切り欠いて形成されると共に、
仕切り体について、側面部と天面部は折り曲げ線から山折りして各々直交する二つの方向に形成し、
前記仕切り体を個装カートン内に収容する際に、キャップ周囲を複数の側面部によって取り囲むようにし、天面部の側方緩衝片が個装カートンの対面する内壁に対向し、前記側面部の上方緩衝片が天面壁部内面に対向するように形成されたものであることが好適である。
【発明の効果】
【００１９】
本発明の仕切り体によれば、個装カートンにキャップ付き容器を収容した状態で、前記山折りした仕切り体を個装カートンに前記容器のキャップ周辺に装填した場合に、仕切り体の天面部がキャップの天面を覆いかつその側方緩衝片の端部が個装カートンの側壁部内面に対向し、それと共に、側面部がキャップの側面を覆いかつ上方緩衝片が、個装カートンの天面壁部の内面に対向するように形成したので、１枚で形成可能な仕切り体とし、簡単な構成によって個装カートンに収容した容器のキャップの外れを確実に防止できる。
したがって、左右方向及び上下方向を同時に位置決め可能であるので作業性が良く、低コストで且つ環境対応にも良いという優れた効果を奏し得る。
【図面の簡単な説明】
【００２０】
【図１】本発明の第１実施形態に係る仕切り体を個装カートンに装着した状態の説明図である。
【図２】図１の仕切り体の拡大説明図である。
【図３】図１の仕切り体の展開図である。
【図４】本発明の第２実施形態に係る仕切り体を個装カートンに装着した状態の説明図である。
【図５】図４の仕切り体の説明図で、（ａ）が仕切り体の斜視図、（ｂ）が仕切り体の展開図である。
【図６】従来の個装カートンにキャップ付き容器を収容した状態の説明図で、（ａ）が外観図、（ｂ）がキャップ付き容器からキャップが外れる前の状態、（ｃ）がキャップの外れた後の状態の説明図である。
【発明を実施するための形態】
【００２１】
以下、本発明の実施形態について添付図面を参照して説明する。
【００２２】
図１は第１実施形態に係る仕切り体が個装カートンに装着した状態の説明図、図２が仕切り体の説明図、図３が同仕切り体の展開図である。
【００２３】
第１実施形態にかかる仕切り体は、図１、２に示すようにキャップ付き容器１０を収容する矩形断面の個装カートン１２に装填されるものである。個装カートン１２は複数の側壁部１２ａが連続して断面矩形に折られかつ図示しない底壁部と共に天面壁部１２ｂによって内部空間が封緘される。
【００２４】
なお、個装カートン１２内に収容されるキャップ付き容器１０は、前述の図６（ｂ）に示すように、キャップ付き容器１０の本体の外径ｄ１がキャップ１０ａの外径ｄ２よりも大きく、また、台座１０ｂの外径ｄ３がキャップ外径ｄ２よりも小さいものである。
【００２５】
図１、図２に示すように、前記仕切り体は、複数の側壁部１２ａで取り囲んだ空間が天面壁部（封緘部）１２ｂによって塞がれて封緘される個装カートン１２において、前記空間内にキャップ付き容器１０を収容した場合に、当該容器１０のキャップ１０ａ周辺を周囲から支持するため個装カートン１２内に挿入する仕切り体である。
【００２６】
仕切り体は、個装カートン１２に装填したときに、キャップ１０ａの側面を覆う側面部１６と、当該側面部１６に折り曲げ線１８を介して連続形成されて、前記キャップの天面を覆う２枚（少なくとも１枚）の天面部１４とを有する。
【００２７】
前記仕切り体の天面部１４には、当該天面部１４を側面部１６に対して折り曲げ線１８から山折りすることで側面部１６よりも折り曲げ方向の逆方向に突出する側方緩衝片２０が各天面部１４に各１つ（少なくとも１つの例）形成される。
【００２８】
前記側面部１６には、前記山折りすることで天面部１４よりも上方に突出する上方緩衝片２２が２つ（少なくとも１つの例）形成される。
【００２９】
図１に示すように、個装カートン１２にキャップ付き容器１０を収容した状態で、前記山折りした仕切り体を個装カートン１２内の前記容器１０のキャップ１０ａ周辺に装填した場合に、仕切り体の天面部１４がキャップ１０ａの天面を覆いかつその側方緩衝片２０の端部が個装カートンの側壁部内面に対向し、それと共に、側面部１６がキャップの側面を覆いかつ上方緩衝片２２が、個装カートンの天面壁部の内面に対向するように形成されたものである。
【００３０】
図３に展開図に示すように、仕切り体において、側面部１６は、長さ方向に連続した概略帯状のものであって、その幅方向一幅端部１６ａの凹所１６ｂに二つの天面部１４，１４が折り曲げ線１８（破線で示す。）を介して延出したものである。前記一幅端部１６ａの凹所１６ｂでは、折り曲げ線１８よりも幅方向にノッチ状に凹んだ切込み１６ｃがあり、その切込み１６ｃで切り離した状態が天面部１４，１４側の側方緩衝片２０になる（図２参照）。このように、天面部１４の側方緩衝片２０は側面部１６を切込み１６ｃで切り欠いて形成されると共に、折り曲げ線１８が側面部１６の側端よりも内側に形成されている。
【００３１】
また、側面部１６の切込み１６ｃの形成によって、天面部１４の一部である側方緩衝片２０が形成されている。
【００３２】
一方、凹所１６ｂに隣接した箇所が、前記の切込み１６ｃ及び折り曲げ線１８よりも幅方向に突出した上方緩衝片２２が形成される。
【００３３】
仕切り体について、側面部１６と天面部１４を折り曲げ線１８から山折りして各々直交する二つの方向に形成し、かつ、側面部１６の長さ方向先端を後端に繋げて側面部１６を環状に形成している。
【００３４】
具体的には、側面部１６の長さ方向先端には、幅両側に切込みのある先細い舌状部１６ｄが形成され、かつ、尾端には孔１６ｅが形成されている。舌状部１６ｄを孔１６ｅ内に挿入して互いに係止して、側面部１６を輪状に形成可能な構造である。側面部１６をほぼ輪状に形成した状態が、図２に示すようになり、二つの天面部１４を折り曲げ線１８より折り曲げて、対向させ（重ねることも可能）である。
【００３５】
なお、個々の側面部１６の切込み１６ｃで切込んだ分が各天面部１４，１４から側方緩衝片として対向する方向に側方緩衝片２０が延設され、折り曲げた側面部１６よりも外方に突出形成されている。
【００３６】
前記仕切り体を個装カートン１２に収容する際に、前記キャップ１０ａ周囲を環状に形成された側面部１６によって取り囲むようにし、各天面部１４の側方緩衝片２０が対向する二つの側壁部１２ａの内面に接し、前記側面部１６の上方緩衝片２２が天面壁部１２ｂ内面に接するようにしたものである。
【００３７】
なお、仕切り体は、各種紙板材を材料として使用でき、坪量３５０〜４５０ｇ／ｍ２が好ましい。
【００３８】
以上説明した通り、第１実施形態の仕切り体によれば、個装カートンにキャップ付き容器１０を収容した状態で、前記山折りした仕切り体を個装カートン１２に前記容器１０のキャップ１０ａ周辺に装填した場合に、仕切り体の天面部１４がキャップ１０ａの天面を覆いかつその側方緩衝片２０の端部が個装カートン１２の側壁部１２ａ内面に対向し、それと共に、側面部１６がキャップ１０ａの側面を覆いかつ上方緩衝片２２が、個装カートン１２の天面壁部１２ｂの内面に対向するように形成したので、１枚で形成可能な仕切り体とした簡単な構成によって個装カートン１２に収容する容器のキャップ１０ａの外れを確実に防止できる。
【００３９】
したがって、実施形態の仕切り体によって、左右方向及び上下方向を同時に位置決め可能であるので作業性が良く、低コストで且つ環境対応にも良いという優れた効果を奏し得る。
【００４０】
次に本発明の第２実施形態について説明する。第１実施形態と同様部分に同一の符号を付している。
【００４１】
この第２実施形態に係る仕切り体は、図４、図５に示すように、キャップ付き容器１０（図６参照）を個装カートン１２に収容する際に４つ（複数の例）の側面部１６が天面部１４の周囲から折り曲げ線１８，１８…を介して延出したものである。
【００４２】
仕切り体は、展開しているときには、図５（ｂ）に示すように、天面部１４の側方緩衝片２０は側面部１６を切り欠いて（切込み１６ｃ）形成され、側面部１６の上方緩衝片２２は天面部１４を切り欠いて（切込み１４ａ）形成されている。折り曲げたときには、図５（ａ）に示すように、仕切り体について、側面部１６と天面部１４は折り曲げ線１８から山折りして各々直交する二つの方向に形成し、上方緩衝片２２と側方緩衝片２０が突出するようになっている。
また、天面部の４箇所の切込み１４ａで切込んだ分が側面部１６から延設される上方緩衝片２２になる。この場合、二つの側面部１６のそれぞれから二つの上方緩衝片２２が延設されるが、側面部１６それぞれに延設する上方緩衝片２２を形成することもできる。また、天面部１４の中央には、孔１４ｂが形成され、キャップ付き容器１０が視認でき、重量軽減がされている。
また、４つの上方緩衝片２２が上方に突出するので、上方緩衝片２２が個装カートン１２の開口からつまみやすく、仕切り体を個装カートンから取出し易くなる。
【００４３】
仕切り体は、図４に示すように、それを個装カートン１２内に収容する際に、キャップ１０ａ周囲を４つの（複数の例）の側面部１６によって取り囲むようにし、天面部１４の側方緩衝片２０が個装カートン１２の対面する側壁部１２ａ，１２ａ（内壁）に対向し、前記側面部１６の上方緩衝片２２が天面壁部１２ｂ内面に対向するように形成されたものである。
【００４４】
第２実施形態の仕切り体によれば、上記第１実施形態の作用効果の他、一つの天面部１４から連続した側面部１６が４方向に延在して折り曲げ線１８から折ることによってキャップ１０ａを取り囲むように支持できるのでバランスよく緩衝し支持できる。
【産業上の利用可能性】
【００４５】
本発明の仕切り体は、化粧品製品、洗顔製品、医薬品製品のキャップ付き容器を個装カートンに収容する際にガタ付きをなくすのに利用することができる。
【符号の説明】
【００４６】
１０  キャップ付き容器
１２  個装カートン
１４  天面部
１６  側面部
１６ａ  側面部の幅方向一幅端部
１６ｂ  側面部の凹所
１６ｃ  切込み
１６ｄ  舌状部
１６ｅ  孔
１８  折り曲げ線
２０  側方緩衝片
２２  上方緩衝片
【図１】
2016108002.tif 000003
【図２】
2016108002.tif 000004
【図３】
2016108002.tif 000005
【図４】
2016108002.tif 000006
【図５】
2016108002.tif 000007
【図６】
2016108002.tif 000008